(57)【要約】本発明は、内側面、剃られた肌に接触する外側面、及び毛受け開口とを有する網を有するひげそりヘッドと、モータを有する駆動構造を用いて編みの内側面に沿って可動である少なくとも１つの切断端部を有するカッターと、を有するひげそり器に係る。切断端部は毛受け開口を介して突出する毛を切断するよう網と協働する。毛受け開口の背部に、ヘア・チャンバが位置付けられる。ひげそり器は、ヘア・チャンバを介して液体を置換するよう、１つ又はそれ以上の液体置換インペラを備えられる。インペラは夫々、ヘア・チャンバを洗浄するようインペラの動きを駆動する駆動構造に接続される。
2007518437.tif 000002
【特許請求の範囲】
【請求項１】
ひげそり器であって、
ひげそりヘッドホルダと、ヘア・チャンバと、駆動構造と、少なくとも１つの液体置換インペラと、を有し、
前記ひげそりヘッドホルダは、内側面、剃られた肌に接触する外側面と毛を受ける開口とを有する網と、前記網の前記内側面に沿って可動である少なくとも１つの切断端部を有する少なくとも１つのカッターと、を有し、前記少なくとも１つの切断端部は前記毛を受ける開口を介して突出する毛を切断するよう網と協働し、
前記ヘア・チャンバは、前記毛を受ける開口の背部にあり、
前記駆動構造は、少なくとも１つのモータを有し、
前記少なくとも１つの液体置換インペラは、前記ヘア・チャンバを介して液体を置換し、前記インペラの動きを駆動するよう前記駆動構造に接続される、
ひげそり器。
【請求項２】
前記少なくとも１つのインペラの前記動きを駆動する前記駆動構造は、また、前記網の前記内側面に沿って前記カッターの前記動きを駆動するよう前記少なくとも１つのカッターに接続される、
請求項１記載のひげそり器。
【請求項３】
前記インペラ又は前記インペラの少なくとも１つ、及び前記カッター又は前記カッターの少なくとも１つは、回転の少なくとも１つの共通軸の周囲の回転に対してとめられる、
請求項１又は２記載のひげそり器。
【請求項４】
前記少なくとも１つのインペラは、ポンプ・チャンバに配置され、前記ポンプ・チャンバを介して液体を置換し、前記ポンプ・チャンバの少なくとも１つの壁に沿って接近して可動である、
請求項１乃至３のうちいずれか一項記載のひげそり器。
【請求項５】
少なくとも１つのフラッシング経路を更に有し、前記経路を介して前記ヘア・チャンバが環境に通じる、
請求項１乃至４のうちいずれか一項記載のひげそり器。
【請求項６】
少なくとも２つのフラッシング経路を更に有し、前記経路のいずれか一方を介して前記ヘア・チャンバが環境に通じる、
請求項５記載のひげそり器。
【請求項７】
前記インペラ又は前記インペラの少なくとも１つは、前記少なくとも１つのフラッシング経路を介して液体を置換するよう配置される、
請求項５又は６記載のひげそり器。
【請求項８】
前記インペラ又は前記インペラの少なくとも１つは、前記少なくとも１つのフラッシング経路において配置される、
請求項７記載のひげそり器。
【請求項９】
前記インペラ又は前記インペラの少なくとも１つは、前記ヘア・チャンバから外へと液体をくみ出すよう配置される、
請求項８記載のひげそり器。
【請求項１０】
前記少なくとも１つのフラッシング経路は、中に前記インペラ又は前記インペラの少なくとも１つが位置付けられ、前記少なくとも１つのカッターを回転へと駆動するよう回転シャフトの周囲に配置された少なくとも１つの入口範囲を有する、
請求項９記載のひげそり器。
【請求項１１】
前記インペラ又は前記インペラの少なくとも１つは、前記ヘア・チャンバへと液体をポンプで注入するよう配置される、
請求項８乃至１０のうちいずれか一項記載のひげそり器。
【請求項１２】
前記ヘア・チャンバは、前記少なくとも１つのひげそりヘッドの周囲の輪郭に沿って前記ヘア・チャンバを境界付け、少なくとも１つの周縁壁を有し、
前記インペラ又は少なくとも１つの前記インペラが位置付けられた前記少なくとも１つのフラッシング経路は、前記ヘア・チャンバの前記周縁壁に接近して沿うようにされた出口開口を有する、
請求項１１記載のひげそり器。
【請求項１３】
循環の共通方向を達成するよう方向付けられた複数の前記出口開口を有する、
請求項１２記載のひげそり器。
【請求項１４】
前記フラッシング経路又は少なくとも１つの前記フラッシング経路を閉じる少なくとも１つのクロージャを更に有し、
前記少なくとも１つのクロージャは、前記少なくとも１つのフラッシング経路を閉じる閉鎖位置と、液体が前記少なくとも１つのフラッシング経路を通過できる開放位置との間で置換可能である、
請求項５乃至１３のうちいずれか一項記載のひげそり器。
【請求項１５】
前記フラッシング経路又は少なくとも１つの前記フラッシング経路は、前記少なくとも１つのひげそりヘッドにおいて、及び、前記毛を受ける開口に近接して、位置付けられる、
請求項１乃至１４のうちいずれか一項記載のひげそり器。
【請求項１６】
前記少なくとも１つのインペラは、前記少なくとも１つのひげそりヘッドにおいて少なくとも部分的に位置付けられる、
請求項１５記載のひげそり器。
【請求項１７】
前記少なくとも１つのインペラは、前記カッター又は前記カッターの少なくとも１つに対して液体を置換するよう、前記カッター又は前記カッターの少なくとも１つの少なくとも一部分内で同心円状に配置される、
請求項１６記載のひげそり器。
【請求項１８】
前記インペラ又は前記インペラの少なくとも１つは、前記ヘア・チャンバ内で液体を置換するよう前記ヘア・チャンバにおいて位置付けられる、
請求項１乃至１７のうちいずれか一項記載のひげそり器。
【請求項１９】
前記ヘア・チャンバに位置付けられた前記インペラの少なくとも２つを有し、前記少なくとも２つのインペラは、回転の共通方向において少なくとも２つのインペラを駆動するよう駆動構造に接続される、
請求項１８記載のひげそり器。
【請求項２０】
ひげそりヘッドであって、
網と、少なくとも１つのカッターと、少なくとも１つのフラッシング経路とを有し、
前記網は、ヘア・チャンバを境界付け、内側面と、剃られた肌に接触する外側面と、毛を受ける開口とを有し、
前記少なくとも１つのカッターは、前記網の前記内側面に沿って可動である少なくとも１つの切断端部を有し、前記少なくとも１つの切断端部は、前記毛を受ける開口を介して突出する毛を切断するよう前記網と協働し、
前記少なくとも１つのフラッシング経路は、前記チャンバと前記チャンバの外側の範囲との間を液体が流れることができるよう、前記毛を受ける開口に近接する、
ひげそりヘッド。
【請求項２１】
前記少なくとも１つのフラッシング経路を介して液体を置換するよう、少なくとも１つの液体置換インペラを更に有する、
請求項２０記載のひげそりヘッド。
【請求項２２】
前記少なくとも１つのインペラは、前記カッター又は前記カッターの少なくとも１つに対して液体を置換するよう、前記カッター又は前記カッターの少なくとも１つの少なくとも一部分の中で同心円状に配置される、
請求項２２記載のひげそりヘッド。
【請求項２３】
ひげそり器のヘア・チャンバを洗浄する方法であって、
前記ひげそり器は、
少なくとも１つの内側面と、剃られた肌に接触する外面と、毛を受ける開口とを有する網と、
前記網の前記内側面に沿って可動である少なくとも１つの切断端部を有する少なくとも１つのカッターと、
を有する少なくとも１つのひげそりヘッドを有するひげそりヘッドホルダを有し、
前記少なくとも１つの切断端部は、前記毛を受ける開口を介して突出する毛を切断するよう前記網と協働し、前記ヘア・チャンバは、前記毛を受ける開口の背部に位置付けられ、
液体は、前記ひげそり器の電動の駆動構造によって駆動される少なくとも１つの液体置換インペラによって、前記ヘア・チャンバを介して置換される、
方法。
【発明の詳細な説明】
【技術分野】
【０００１】
本発明は、ひげそり器、ひげそりヘッド、及びひげそり器のヘア・チャンバを洗浄する方法に係る。
【背景技術】
【０００２】
切断されたひげ、毛の粉塵、及び肌の小片が蓄積するヘア・チャンバは、ひげそりの網（スクリーン）を有するひげそり器の１つ又はそれ以上のひげそりヘッドの背部に位置付けられる。該網は、毛を受ける開口と、該毛受け開口を介して突出する毛を切断するよう網の開口と協働する駆動される１つ又はそれ以上のカッターを有する。ヘア・チャンバが定期的に洗浄されない場合、非衛生的な状況が発生し、ひげそり器の機能を損ない、ひげそり器の不具合又はひげそり器に対する損傷にまで通じる場合もある。かかる蓄積は、ヘア・チャンバの定期的な洗浄によって避けられ得、また、避けられるべきである。しかし、ユーザの多くは、ひげそりヘッド又はひげそりヘッドを分解することが要求されるため煩わしさを覚えるか、または、単にヘア・チャンバを洗浄することを忘れる。ひげそり器の設計は典型的には、特別な措置を有する。該措置は、筐体に対するひげそりヘッドホルダの速放性接続、及びヘア・チャンバが開放されている際に多種の部品をまとめて保持する支持体等であり、ヘア・チャンバへの到達を得るようひげそりユニットの分解を非常に単純にするものである。
【０００３】
多種のひげそり器は、毛受け開口を介して空気を引き込むファンを有する従来技術より既知である。例えば、特開０１−９７４９３号広報（特許文献１）は、空気又は毛を、ひげそり刃から空気がフィルタを介して排出される粉塵収集部へ動かすよう、インペラを有するひげそり器を開示する。米国特許第３，６３４，９３５号明細書（特許文献２）は、ファン、及び、ひげそりヘッドから届く空気流から毛を分離するようファンの下流に遠心分離機を有するひげそり器を開示する。米国特許第３，８２８，４３０号明細書（特許文献３）は、毛がひげそり器から外へ吹き飛ばされることを防ぐよう、排出開口の前面にネットを有するひげそり器を開示する。米国特許第４，０３１，６１８号明細書（特許文献４）は、毛を切断位置へと引き込み、且つ切断された毛を筐体から排出するよう、真空システムを有するひげそり器を開示する。米国特許第４，０８９，１１０号明細書（特許文献５）は、切断されたひげを収集するよう、排出経路と通じるレセプタクルを有するひげそり器を開示する。しかしながら、かかるひげそり器の操作はまた、煩雑である。その理由は、毛を収集するレセプタクル及びフィルタは定期的に空にされて洗浄されなければならないか、又は、ひげ及び毛の粉塵等は、落ちないよう、筐体を出て洗浄スタンド等へと飛ばされ比較的広い範囲にわたって分布されるかの、いずれかである。更に、切断された毛のうちの比較的多くと肌は、ヘア・チャンバ内に戻って残される。
【特許文献１】特開０１−９７４９３号広報
【特許文献２】米国特許第３，６３４，９３５号明細書
【特許文献３】米国特許第３，８２８，４３０号明細書
【特許文献４】米国特許第４，０３１，６１８号明細書
【特許文献５】米国特許第４，０８９，１１０号明細書
【発明の開示】
【発明が解決しようとする課題】
【０００４】
本発明は、ひげそり器のヘア・チャンバを迅速に、容易に、及び効果的に洗浄する解決法を与えることを目的とする。
【課題を解決するための手段】
【０００５】
本発明によれば、この目的は、請求項１に従ったひげそり器を与えることによって達成される。本発明はまた、請求項２３に従った洗浄方法を与え、該方法によってこの目的は達成され得る。
【０００６】
毛、毛の粉塵、及び、適用に応じてひげそりローション及び同等のものの残余は、効果的且つ確実に洗い流され、その際、ひげそり器の駆動構造によって駆動された１つ又はそれ以上のインペラを使用してヘア・チャンバ内で液体置換が引き起こされる。１つ又はそれ以上のインペラは、効果的にヘア・チャンバを洗浄するよう液体の十分に勢いのある動きを確実にする。
【０００７】
本発明はまた、本発明の特定の実施例に従ったひげそり器での使用に適合される請求項２０に従ったひげそりヘッドにおいて実現され得る。請求項２０では、少なくとも１つのフラッシング経路がひげそりヘッド又は少なくとも１つのひげそりヘッドを介して延びる。本発明の他の特定の実施例は、従属項において説明される。
【発明を実施するための最良の形態】
【０００８】
図中、図示された異なる典型的な実施例の互いに同一の部分は、互いに同一の参照符号によって指定される。
【０００９】
図１乃至図３は、本発明に従ったひげそり器１の第１の実施例を図示する。このひげそり器は、モータを有する電動駆動構造が収容される筐体２を有する。駆動構造及びモータは、図１乃至図３中には図示されていないが、図９及び図１０に図示されるひげそりは、モータ１４を有する同一の駆動構造４４を有する。駆動構造は、ひげそりヘッド４に対して３つの冠状カッター３に接続される。カッター３は夫々、ひげそりヘッド４の網６の内側面７に沿って可動である複数の切断端部５を有する。網６は、スリット８及び穴９の形状で毛受け開口を有する。作動中は、毛受け開口８，９を介して突出する無精ひげ又は他の毛は、ひげそりヘッド４の網６の内側面７に沿って動くカッター３の切断端部５によって切断される。
【００１０】
ひげそりヘッド４は、ひげそりヘッドホルダ１０においてとめられる。ひげそりヘッドホルダ１０は、（図９中の同一のひげそりヘッドホルダ１０を有する異なる実施例に図示される通り）、ロック用爪１２（図９参照）の開放後、筐体に対して開口部へと回転可能であるフードの形状で与えられる。筐体２の外側に配置されたノブ１１を押すことで、このロック用爪１２を動作する。ヘア・チャンバ１３（図９参照）は、毛受け開口８，９と筐体２との間に位置付けられる。
【００１１】
ひげそり器１は、ヘア・チャンバを介して液体を置換するよう液体置換インペラ１５を更に備えられる。本例によれば、液体置換インペラ１５は、インペラ１５の動きを駆動するよう、カッター３を介して駆動構造４４へと接続される。
【００１２】
インペラ１５のインペラの刃１６の数及び形状は、使用可能であるモータ電力及び駆動構造４４の伝達率を考慮に入れて、効果的に液体を置換するよう明確に適合される。より明確には、特に強力なポンプ効果を達成するよう、本例に従った液体インペラ１５は、螺旋型の刃１６を有する。刃１６は、インペラが作動している際、回転の方向（矢印１７）に反する方向で外方に湾曲される。更に、連続する刃１６の間の間隔は、ロータ１６のディスク型フランジによって一方向で軸方向に境界される。対向する軸方向において、ひげそりヘッドの壁が入口ポート１９の外側で半径方向に空間の部分を境界する。これらの特徴は、刃１６の軸端部の周囲で液体の流れを阻止する又は少なくとも妨ぐようにし、軸方向に狭い刃が、供給された液体を介して効果的にポンプすることができるようにする。
【００１３】
入口ポート１９は、フラッシング経路を形成し、該経路を介してヘア・チャンバ１３は環境に通じる。
【００１４】
作動中は、液体置換インペラ１５は、液体が液体インペラ１５に供給される際、ヘア・チャンバにおいて勢いのある液体流を生成する。本例によれば、液体インペラ１５は、インペラに対して提供された液体の殆どを、ひげそりヘッド４の網６の内部のヘア・チャンバ１３の部分へと半径方向外方に入れる。これは、ひげそりヘッド４、特にインペラ１５の外側に沿って配置された切断短部５を有するカッター３が、特に効果的に洗浄されるようにする。インペラ１５によって引き起こされた通りカッター３に対する定期的な液体の噴霧は、特に有利である。これは、本例中のように、複動式ひげそり効果を生成するよう、カッター３が夫々、互いに対して容易に可動である必要がある複数の多重切断端部を備えられる場合であり、その際、毛は最初に第１の切断端部によって引かれ、次に第１の切断端部に続く第２の切断端部によって直接切断される。容易な可動性は、一組の第１及び第２の切断端部の集中的な洗浄によって、ひげそりローションが使用され、その残留がカッター３を詰まらせ得る場合でも確実に保証される。該一組は夫々、複数のカッター３の複動式刃の１つを形成する。
【００１５】
洗浄中、インペラ１５は、インペラ１５の夫々の回転の軸から離れて半径方向外方でインペラ１５に与えられた液体を置換する。置換された液体の部分は、夫々のひげそりヘッド４の毛受け開口８，９を介してヘア・チャンバを出るため、ひげ、毛の粉塵及び同等のものは、非常に短いルートを介して放出される。インペラ１５によって置換された液体の残りは、網６から離れる方向に置換されるため、ヘア・チャンバ１３の他の部分もまた集中的に洗浄される。ヘア・チャンバが液体で充填される程度に依存して、ヘア・チャンバを介して置換された液体の洗浄効果は、噴霧効果又はヘア・チャンバを介してなされた液体流の速度によって達成される。
【００１６】
ひげそり中、インペラ１５に与えられる液体量は全くないか、又は、少なくとも大量であることはない。インペラ１５は、液体を置換するよう適合されるため、インペラ１４は大量の空気流を引き起こさず、ノイズ、抵抗、及びひげそり中の毛の小片の拡散等の関連付けられる通常は望ましくない効果が、最小限に低減される。
【００１７】
インペラによってひげそり中の排気を更に低減するよう、ひげそり中にインペラを駆動しない手段を与えること、又は、ひげそり中のインペラの回転速度より速い回転速度で動作するようインペラを設計すること、及び、ひげそり速度及びひげそり速度より速い洗浄速度で動作するよう駆動構造を適合することが可能でもあり、速度は、制御部材によって、又はひげそり器によって方向付けられたインペラに与えられた液体の有無に応答して選択可能である。
【００１８】
ヘア・チャンバ１３を介して置換された液体は、出口ポート１８を介してヘア・チャンバ１３を出る。本状況では、フラッシング経路は、他の経路に加えて備えられた経路であり、それを介してヘア・チャンバは、毛受け開口８，９等の環境と従来通り通じる。
【００１９】
ひげそり器１は、１つより多いフラッシング経路１８，１９を有し、夫々を介してヘア・チャンバ１３は環境と通じるため、液体は、多種の位置においてヘア・チャンバ１３に入り得、及び／又は個別の入口及び／又は出口は、ヘア・チャンバを介する連続的な流れを可能にし、ヘア・チャンバは集中的に洗浄され得る。
【００２０】
本例によるひげそり器１において、インペラ１５は、液体入口ポート１９の背部に直接位置付けられる。インペラ１５は夫々、位置付けられた背部で各フラッシング経路１９を介して液体を置換するよう、また、従って出口ポート１８を介して液体を外側に促すよう、非常に効果的であり、ヘア・チャンバを介する高い流速が保証される。
【００２１】
ひげそりヘッド４におけるインペラ１５の位置は、多種の理由で有利である。第１に、インペラ１５はひげそりヘッド４における自由空間に収容されるため、小型構造が達成される。第２の、ヘッド４におけるインペラの位置は、ヘッド４の外方リングに対するひげそりヘッド４における非常に勢いのある液体流をもたらす。該位置は、粘結性の汚れが最も除去し難い傾向がある。第３に、ひげそりヘッド４における位置は、カッター３に近く隣接しているため、インペラ５をまた駆動するカッター３を駆動する駆動構造を適合する追加的な措置が要求される。本例によれば、液体置換インペラ１５は夫々、カッター３の１つに固定的に及び直接的に接続される。
【００２２】
インペラ１５は夫々更に、カッター３の対応する１つに対して液体を置換するようカッター３内に同心円状に配置される。故に、カッター３は、特に効果的に洗浄される。このインペラ１５の位置は、また、カッター３と同様の駆動構造を有してインペラ１５駆動するよう有利である。
【００２３】
液体入口ポート１９は、ひげそりヘッド４内、及び毛受け開口８，９に近接してに位置付けられるため、ヘア・チャンバを洗浄するよう取り入れられる液体は、ひげそりヘッド４の外側及びひげそりヘッドホルダ１０の洗浄に用意に組み合され得る。液体入口ポート１９は更に、中央ハブ２０に対して半径方向に延びるスポークの間に配置される。ハブ２０は、ひげそりヘッド４に集められたインペラ１５及びカッター２を維持するようサスペンションを形成する。しかしながら、ひげそりヘッドの設計に依存し、カッター３及びインペラ１５はまた、ひげそりヘッドにある程度自由に浮かんでとめられ得るか、又はカッターの外側に沿ったガイドによる等の他の手法で集められる。スポーク２０は、湾曲されたスポーク等の星型のスポークを投じる多種の設計であり得、また、インペラ１５をユーザの肌から離しておくよう有利である。
【００２４】
本例に従ったひげそり器の検証は、ひげそりの残骸及び人間の肌の油で汚れたひげそりユニットは、水道からの水を液体として使用し、ヘア・チャンバ１３を開くことなく約１０秒以内で洗浄される、ことを示している。水は、水道から流れる水の流れ、又はボール又はグラス等の中の水において、入口ポート１９を有するひげそり器の部分を保持することによる単純な手法で供給され得る。また、水供給に先立って、濃縮された形状又は入口ポート１９を介して供給される水において溶解された形状で、洗浄剤を供給することが可能である。
【００２５】
図４乃至図６は、本発明に従った第２のひげそり器１０１を図示する。このひげそり器１０１において、ひげそりヘッドホルダ１１０は、筐体１０２のヘア・チャンバのボール部分１２１から取外し可能である。ひげそりヘッド１０４は、図１乃至図３に図示されたひげそり器１のひげそりヘッド４とは異なる設計を有する。しかしながら、図４乃至図６に図示されたひげそり器１０２に、図１乃至図３に図示されたひげそり器１のひげそりヘッド４と同一又は類似したひげそりヘッドを与えることも可能である。
【００２６】
本例に従ったひげそり器１において、インペラ１１５は、フラッシング流路構造１１８のフラッシング経路１２２，１２３，１２４に配置される。該構造は、インペラ１１５が、フラッシング経路１２２，１２３，１２４を介して効果的に液体を置換することを可能にする。
【００２７】
インペラ１１４はポンプ・チャンバ１２７を介して液体を置換するようポンプ・チャンバ１２７に配置され、また、ポンプ・チャンバ１２７の壁１２８，１２９に近く沿って可動であるため、インペラ１１５の効果が強化される。
【００２８】
インペラ１１５は、刃１１６を有し、軸方向の液体の取入れに対してヘア・チャンバ１１３に対して軸方向に開放され、ヘア・チャンバ１１３から見て外方へ向く面で軸方向に閉じられる。これは、液体の軸方向の経路が要求されないヘア・チャンバからみて外方へ向く面で、漏れることなく半径方向外方へ液体を通すよう有利である。
【００２９】
インペラ１１５は、ヘア・チャンバ１１３から液体をポンプするようヘア・チャンバ１１３の下流に配置される（矢印１４１）。これは特に、ヘア・チャンバ１１３を介して、例えば再循環又は後の再利用のために集められるべきアルコール等の特別な洗浄液体を置換するよう有利である。これは、アンダープレッシャがヘア・チャンバ１１３で生成されるためであり、出口経路１２２，１２３，及び１２４の他の開口を介するヘア・チャンバからの洗浄液体の流出が妨げられる。
【００３０】
インペラ１１５が位置付けられるフラッシング経路１２２，１２３，１２４は、ひげそりヘッド１０４における回転へとカッターを駆動するよう駆動シャフト１２５の周囲に配置された入口範囲を有する。そのため、液体は、駆動シャフト（矢印１４２）に沿って同軸方向に放出され得、ヘア・チャンバ１１３へと突出する駆動シャフト１２５のスタッブの下部に蓄積された毛及び肌の小片は、効果的に洗い流される。
【００３１】
図５に図示される通り、網６の内側面７に沿ってカッター３の動きを駆動する電動駆動構造１２５はまた、インペラ１１５の動きを駆動するようインペラ１１５に接続されるため、同一の駆動構造がカッター３及びインペラ１１５のいずれをも駆動する。インペラ１１５が位置付けられるフラッシング経路１２２，１２３，１２４が駆動シャフト１２５の周囲に配置された入口範囲を有するという特徴と相まって、これは、駆動シャフトがシャフトに沿った１つの位置において筐体１０２に対して密封されることのみを必要とするという有利点を更に与える。更には、インペラ１１５の夫々は、カッター３の１つと共に回転１２６の共通軸の周囲での回転のためにとめられるため、非常に単純な構造が得られる。
【００３２】
図４乃至図６に従ったひげそり器１０１の液体注入ポート１１９は、筐体がひげそりヘッドホルダ１１０から最も突出する方向と略同一の方向に面するヘア・チャンバ１１３の一面で位置付けられる。これは、例えば蛇口から流れる液体等の液体が、ヘア・チャンバ１１３へ流れる（矢印１４３）ことを可能にする。その一方、ひげそり器１０１は、ひげそりヘッド１０４が下流に保持されて位置付けられているひげそり器１０１の端部を有する方向性において保持される。そのため、ユーザの手に液体が流れることは全く若しくは殆どない。フラッシング経路１２２，１２３，１２４の出口ポートは続いて、斜めに横向き及び下流を指し、そのためヘア・チャンバを出るようにされた液体は、ひげそり器１０１から遠く離れては噴霧しない。
【００３３】
図７及び図８に図示されるひげそり器２０１はまた、フラッシング経路２３０乃至２３３を有するフラッシング流路構造２１９におけるインペラ２１５を備えられる。インペラ２１５の刃２１６は、ポンプ・チャンバ２２７に配置される。排出口ポート又は穴２３４乃至２３６は、ポンプ・チャンバ２２７に通じる。
【００３４】
インペラ２１５は、液体をヘア・チャンバ２１３へと注入するようヘア・チャンバ２１４の上流に配置される。これは、液体をヘア・チャンバ２１３へと注ぎ込むよう推進するため有利である。かかる注込みは、ヘア・チャンバにおける面に付着するひげそりの破片を除去するよう特に効果的である。液体の注込みは、ひげそりの破片が取り除かれる面に直接向けられ得るが、また、ヘア・チャンバ内の液体の過流又は循環を作り出すよう使用され得る。
【００３５】
ヘア・チャンバ２１３は、ひげそりヘッド１０４の周囲の輪郭に沿ってヘア・チャンバ２１３を境界する周縁壁２３７を有する。インペラ２１５が位置付けられるフラッシング経路２３１乃至２３３の排出ポート２３４乃至２３６は、周縁壁２３７に近く沿って方向付けられる。該壁は、ひげそりヘッド１０４の軸１２６及び駆動シャフト１２５に沿った平面図において、その輪郭に沿ってヘア・チャンバ２１３の周囲で延びる。これによって、インペラ２１５によってヘア・チャンバ２１３へと押される液体は、壁２３７に沿って注入される。そのため、液体の洗浄効果は、壁２３７の円周方向に分布される。
【００３６】
更には、排出ポート２３４乃至２３６は、図７中の矢印２３８によって示された循環の共通方向に分布される。これによって、注入された液体は、周縁壁２３７に沿って勢いよく循環され、特に効果的な洗浄効果が達成される。
【００３７】
ヘア・チャンバ２３１へと押された液体は、最後に、ひげそりヘッド１０４を介してヘア・チャンバから押し出される。そのため、ひげそりヘッドの内部及びカッター３はまた、効果的に洗浄される。
【００３８】
図９及び図１０中の本発明に従ったひげそり器３０１は、ヘア・チャンバ３１３内部の液体を置換するようヘア・チャンバ３１３に位置付けられたインペラ３１４を備えられる。洗浄中、インペラ３１５は、ヘア・チャンバ内部の液体を撹拌し、液体をヘア・チャンバ３１３内部の内側面に対して旋回及び／又はスプラッシュさせる。従って、ヘア・チャンバ３１３の内側面から毛及び肌の小片を引く。
【００３９】
液体をヘア・チャンバ３１３に与える（矢印３３９）ことに対して、ヘア・チャンバ３１３は、ヘア・チャンバ３１３から液体を引く（矢印３４０）よう、ヘア・チャンバ３１３の一側上では比較的大きなフラッシング経路３１９を介して、ヘア・チャンバ３１３の対抗する側では比較的小さなフラッシング経路３１８を介して、環境と通じる。洗浄に対しては、ひげそり器３０１は、スイッチを入れられ、液体は大きなフラッシング経路３１９を介して与えられる。例えばその際、大きなフラッシング経路は、液体管に接続された蛇口から流れる液体に保持される。ヘア・チャンバ３１３に入る液体は、インペラ３１５によって勢いよく撹拌され、排水ポート３１８を介してヘア・チャンバ３１３から連続的に流れる。望ましくは、液体は、ヘア・チャンバ３１３が完全に液体で充填されるまでヘア・チャンバ３１３から液体が流れ得る速度を超える速度で供給され、すぐにチャンバは排水される。ヘア・チャンバ３１３における液体の撹拌は、続いて、液体がヘア・チャンバ３１３を介して放流される状態から、液体がヘア・チャンバ３１３を介して旋回して戻る状態へと徐々に変化する。これは、均質な洗浄効果を得るよう有利である。
【００４０】
プラグ３４５，３４６の形状でのクロージャは、ひげそり器中にフラッシング経路３１８，３１９を閉じるよう与えられ、ひげそり器中にひげそり器の小片の拡散が低減される。プラグ３４５，３４６は、フラッシング経路を閉じる閉鎖位置（図示される通り）と液体がフラッシング経路を通過できる開放位置との間で置換可能である。後者の位置では、プラグ３４５，３４６は、ひげそりヘッドホルダに固定される一体化して形成されたストリップ３４７，３４８によって接続されたままであり、そのためプラグ３４５，３４６は紛失され得ない。フラッシング経路を閉じるクロージャは、例えばヒンジ・パネル又はスライディング・パネルの形状等の多種の形状で与えられ得る。
【００４１】
効果的にヘア・チャンバを洗浄するよう、インペラ３１５は、また、回転の共通方向でインペラ３１５を駆動するよう駆動構造１４，１２５に接続されることが有利である。これによって、ヘア・チャンバ内の液体は、循環の方向で循環され、従って集中的な洗浄効果をもたらす。
【００４２】
図示及び説明された実施例以外の本発明の他の実施例が可能であることが判明している。例えば、液体を置換するインペラは、多種の設計であり得、他の数で与えられ得る。また、液体を多種の経路を介してヘア・チャンバに出し入れするようポンプするインペラ、及び、ヘア・チャンバの内部で液体を置換するインペラが組合され得る。更には、ひげそりヘッドは、回転式カッターを有する設計である必要はなく、例えば振動カッター及びヘア・チャンバを介して液体を置換する液体置換インペラを有する等の他の設計もまた考えられ得る。更には、１つ又はそれ以上のインペラを駆動する駆動構造は、ひげそりカッターと同一のモータに結合され得るが、ひげそり器がひげを剃るため、及び液体置換インペラを駆動するための別個のモータを備えられることもまた可能である。
【図面の簡単な説明】
【００４３】
【図１】本発明に従った第１のひげそり器の上部の斜視図である。
【図２】図１に従ったひげそりヘッドの分解斜視図である。
【図３】図２に図示されたひげそりヘッドの断面斜視図である。
【図４】本発明に従った第２のひげそり器の上部の分解斜視図である。
【図５】図４及び図６に従ったひげそり器のヘア・チャンバ、ひげそりヘッドホルダ、ひげそりヘッド、及び筐体部に関して、図６中の線Ｖ−Ｖでとられた概略的断面図である。
【図６】図５中の線ＶＩ−ＶＩでとられた断面図である。
【図７】本発明に従った第３のひげそり器の上部の分解斜視図である。
【図８】図７に従ったひげそり器のヘア・チャンバ、ひげそりヘッドホルダ、ひげそりヘッド、及び筐体部の概略的断面図である。
【図９】本発明の第４のひげそり器の上部の斜視図である。
【図１０】図９に従ったひげそり器のヘア・チャンバ、ひげそりヘッドホルダ、ひげそりヘッド、及び筐体部の概略的断面図である。
【図１】
2007518437.tif 000003
【図２】
2007518437.tif 000004
【図３】
2007518437.tif 000005
【図４】
2007518437.tif 000006
【図５】
2007518437.tif 000007
【図６】
2007518437.tif 000008
【図７】
2007518437.tif 000009
【図８】
2007518437.tif 000010
【図１０】
2007518437.tif 000011
【図９】
2007518437.tif 000012
【国際調査報告】
2007518437.tif 000013
2007518437.tif 000014
2007518437.tif 000015